(57)【要約】【課題】  ＳＩＭホルダー自体を改造することなく、ＳＩＭホルダーに装着されるＳＩＭに応じて、ＳＩＭと接続する非接触通信用のアンテナを切替えることのできるＳＩＭホルダーを提供する。【解決手段】  ＳＩＭホルダー１には、ＳＩＭ２と接続するアンテナであるホルダーアンテナとして、Ａアンテナ１０ａとＢアンテナ１０ｂとを備える。ＳＩＭホルダー１にＳＩＭ２が装着されると、接続通信回路１４はＳＩＭ２からアンテナ情報１４を読出し、アンテナ切替スイッチ１１は、アンテナ情報１４で示されるアンテナコイルを選択し、選択したアンテナコイルとＳＩＭ２とを電気的に接続する。【選択図】      図３
2007018289.tif 000002
【特許請求の範囲】
【請求項１】
接触通信と非接触通信の機能を有するＩＣチップを実装し、非接触通信用のアンテナコイルと電気的に接続するためのカード端子を表面に備えたＳＩＭを、着脱可能な状態で装着し使用するＳＩＭホルダーにおいて、
前記ＳＩＭホルダーは、前記ＳＩＭが非接触通信を行うときに使用し、それぞれ異なる電気特性を有する複数のホルダーアンテナと、
前記ＳＩＭの前記カード端子と接続する前記ホルダーアンテナを示す情報であるアンテナ情報に従い、複数の前記ホルダーアンテナの中から一つの前記ホルダーアンテナを選択し、選択した前記ホルダーアンテナと前記ＳＩＭの前記カード端子とを接続するアンテナ切替え手段を備えていることを特徴とするＳＩＭホルダー。
【請求項２】
請求項１に記載のＳＩＭホルダーにおいて、前記アンテナ情報は、前記ＳＩＭホルダーに装着される前記ＳＩＭに記憶され、前記ＳＩＭホルダーは、装着された前記ＳＩＭから前記アンテナ情報を接触通信で読み出す手段を備え、前記アンテナ切替え手段は、前記ＳＩＭホルダーに装着された前記ＳＩＭから読み出した前記アンテナ情報に従い、前記ホルダーアンテナを選択し、選択した前記ホルダーアンテナと前記ＳＩＭの前記カード端子とを接続する手段であることを特徴とするＳＩＭホルダー。
【請求項３】
請求項１に記載のＳＩＭホルダーにおいて、前記ＳＩＭホルダーは、複数の前記アンテナ情報を記憶し、記憶した複数の前記アンテナ情報の中から使用する前記アンテナ情報を設定する手段を備え、
前記ＳＩＭホルダーの前記アンテナ切替え手段は、前記ＳＩＭホルダーで設定された前記アンテナ情報に従い、前記ホルダーアンテナを選択し、選択した前記ホルダーアンテナと前記ＳＩＭの前記カード端子とを接続する手段であることを特徴とするＳＩＭホルダー。
【発明の詳細な説明】
【技術分野】
【０００１】
本発明は、ＵＩＭカードとも称されるＳＩＭを着脱可能に装着し、ＳＩＭと接続するアンテナを備えた携帯可能な情報端末であるＳＩＭホルダーに関し、更に詳しくは、装着されるＳＩＭに応じて接続するアンテナを切替える技術に関する。
【背景技術】
【０００２】
ＩＣカード、ＳＩＭ（Subscriber Identity Module）またはＵＩＭ（User Identity Module）などのカード型情報媒体は、ネットワークのアクセス管理やドアゲートシステムなどにおいて使用されつつある。本出願人は、カード型情報媒体、取り分けＳＩＭの利便性を高めるべく、接触通信および近接型（通信距離が１０ｃｍ程度）の非接触通信の機能を備えたＳＩＭを装着し利用するＳＩＭホルダーを特許文献１、２および３で開示している。
【０００３】
特許文献１で開示しているＳＩＭホルダーは、ＳＩＭ自体は非接触通信で使用するアンテナを有さず、ＳＩＭが非接触通信するときに使用するアンテナをＳＩＭホルダーは備え、ＳＩＭホルダーに備えられたアンテナとＳＩＭホルダーに装着されたＳＩＭとが電気的に接触することで、ＳＩＭが非接触通信可能となるＳＩＭホルダーである。
【０００４】
更に、特許文献２で開示しているＳＩＭホルダーは、特許文献１で開示しているＳＩＭホルダーに、パーソナルコンピュータとデータ通信するためのＵＳＢインターフェースを備えたＳＩＭホルダーである。また、特許文献３で開示しているＳＩＭホルダーは、特許文献１または特許文献２にで開示しているＳＩＭホルダーに、指紋認証で使用される指紋センサを備えたＳＩＭホルダーである。
【０００５】
しかしながら、ＳＩＭに実装されるＩＣチップが異なると、ＩＣチップの非接触通信に係る電気特性（例えば、ＩＣチップの非接触端子間のキャパシタ容量）が異なるため、特許文献１から特許文献３などで開示しているＳＩＭホルダーを製造する時は、実際に使用するＳＩＭに実装されるＩＣチップの電気特性を考慮しながら、ＳＩＭに内蔵されるアンテナを設計する必要がある。
【０００６】
よって、ＳＩＭに実装されるＩＣチップが異なるごとに、ＳＩＭホルダーに内蔵するアンテナの仕様も異なるため、ＳＩＭホルダー製造時には、予めＳＩＭの仕様が確定していなければならず、ＳＩＭホルダー製造時のネックとなっていた。また、ユーザがＳＩＭホルダーに内蔵されたＳＩＭを変更すると、ＩＣチップの電気特性とＳＩＭホルダーに備えらたアンテナとのマッチングがくずれ、満足のいく非接触通信性能が得られなくなる問題もあった。
【特許文献１】特開２００４−８６４０２号公報
【特許文献２】特開２００４−１１８７７１号公報
【特許文献３】特開２００４−２６４９１５号公報
【発明の開示】
【発明が解決しようとする課題】
【０００７】
そこで、上述した問題を鑑みて、本発明は、特許文献１、２および３で開示したような、少なくとも近接型の非接触通信の機能を備えたＳＩＭを内部に装着し、ＳＩＭと電気的に接続するアンテナを備えたＳＩＭホルダーにおいて、ＳＩＭホルダー自体を改造することなく、ＳＩＭホルダーに装着されるＳＩＭに応じてアンテナを切替えることのできるＳＩＭホルダーを提供することを目的とする。
【課題を解決するための手段】
【０００８】
上述の課題を解決する第１の発明は、接触通信と非接触通信の機能を有するＩＣチップを実装し、非接触通信用のアンテナコイルと電気的に接続するためのカード端子を表面に備えたＳＩＭを、着脱可能な状態で装着し使用するＳＩＭホルダーにおいて、
前記ＳＩＭホルダーは、前記ＳＩＭが非接触通信を行うときに使用し、それぞれ異なる電気特性を有する複数のホルダーアンテナと、
前記ＳＩＭの前記カード端子と接続する前記ホルダーアンテナを示す情報であるアンテナ情報に従い、複数の前記ホルダーアンテナの中から一つの前記ホルダーアンテナを選択し、選択した前記ホルダーアンテナと前記ＳＩＭの前記カード端子とを接続するアンテナ切替え手段を備えていることを特徴とする。
【０００９】
第１の発明によれば、前記ＳＩＭホルダーが複数の前記ホルダーアンテナを備え、前記アンテナ情報に従い、複数の前記ホルダーアンテナの中から一つの前記ホルダーアンテナを選択し、選択した前記ホルダーアンテナと前記ＳＩＭの前記カード端子とを接続することで、前記ＳＩＭホルダー自体を改造することなく、前記ＳＩＭホルダーに装着される前記ＳＩＭに応じて前記ホルダーアンテナを切替えることができる。
【００１０】
更に、第２の発明は、第１の発明に記載のＳＩＭホルダーにおいて、前記アンテナ情報は、前記ＳＩＭホルダーに装着される前記ＳＩＭに記憶され、前記ＳＩＭホルダーは、装着された前記ＳＩＭから前記アンテナ情報を接触通信で読み出す手段を備え、前記アンテナ切替え手段は、前記ＳＩＭホルダーに装着された前記ＳＩＭから読み出した前記アンテナ情報に従い、前記ホルダーアンテナを選択し、選択した前記ホルダーアンテナと前記ＳＩＭの前記カード端子とを接続する手段であることを特徴とする。
【００１１】
第２の発明によれば、前記ＳＩＭの前記カード端子と接続する前記ホルダーアンテナを示す前記アンテナ情報を前記ＳＩＭが格納し、前記ＳＩＭから読み出した前記アンテナ情報に従い、前記ホルダーアンテナを選択し、選択した前記ホルダーアンテナと前記ＳＩＭの前記カード端子とを接続することで、前記ＳＩＭホルダーは、間違いなく前記ＳＩＭに対応した前記ホルダーアンテナを選択し、前記ＳＩＭホルダーに装着される前記ＳＩＭに応じて前記ホルダーアンテナを切替えることができる。
【００１２】
更に、第３の発明は、第１の発明に記載のＳＩＭホルダーにおいて、前記ＳＩＭホルダーは、複数の前記アンテナ情報を記憶し、記憶した複数の前記アンテナ情報の中から使用する前記アンテナ情報を設定する手段を備え、前記ＳＩＭホルダーの前記アンテナ切替え手段は、前記ＳＩＭホルダーで設定された前記アンテナ情報に従い、前記ホルダーアンテナを選択し、選択した前記ホルダーアンテナと前記ＳＩＭの前記カード端子とを接続する手段であることを特徴とする。
【００１３】
第３の発明によれば、前記ＳＩＭの前記カード端子と接続する前記ホルダーアンテナを示す複数の前記アンテナ情報を前記ＳＩＭホルダーが格納し、ユーザが設定した前記アンテナ情報に従い、前記ホルダーアンテナを選択し、選択した前記ホルダーアンテナと前記ＳＩＭの前記カード端子とを接続することで、ユーザは、適した前記ホルダーアンテナを選択して、前記ＳＩＭホルダーを利用することができる。
【発明の効果】
【００１４】
上述した本発明によれば、少なくとも近接型の非接触通信の機能を備えたＳＩＭを内部に装着し、ＳＩＭと接続するアンテナを備えたＳＩＭホルダーにおいて、ＳＩＭホルダー自体を改造することなく、ＳＩＭホルダーに装着されるＳＩＭに応じてアンテナを切替えることのできるＳＩＭホルダーを提供できる。
【発明を実施するための最良の形態】
【００１５】
（第１の実施の形態）
ここから、本発明に係るＳＩＭホルダーの第１の実施の形態について、図を参照しながら詳細に説明する。図１は、ＳＩＭホルダーの外観図である。図１のＳＩＭホルダー１は、挿入口１ａから挿入されたＳＩＭ２をＳＩＭホルダー１の内部に装着し、情報を光学的に表示するディスプレイである液晶ディスプレイ１ｂや、電源ＯＮ／ＯＦＦやメニューの選択・決定などの操作を行うための操作ボタン１ｃなどを備え、電子マネーやドアゲートシステム等で使用される携帯端末である。
【００１６】
なお、図１で示したＳＩＭホルダー１には、特許文献２で開示しているようにパーソナルコンピュータとデータ通信するためのＵＳＢインターフェースや、特許文献３で開示しているようにユーザの指紋情報を入力する指紋センサなどを備えることも可能である。
【００１７】
本発明に係るＳＩＭホルダー１は、特許文献１から特許文献３に記述されたＳＩＭホルダー１（または、ＳＩＭリーダライタ）とは異なり、近接型の非接触通信（例えば、ＩＳＯ／ＩＥＣ１４４４３規格）用の複数のアンテナコイルであるホルダーアンテナが備えられ、ＳＩＭホルダー１に装着されたＳＩＭ２に最適なホルダーアンテナを、ＳＩＭホルダー１が自動的に選択し使用する機能を備えている。
【００１８】
図２は、図１で示したＳＩＭホルダー１に装着されるＳＩＭ２を説明する図である。図２（ａ）は、ＳＩＭ２の外観図で、ＳＩＭ２は、ＩＣカードのＩＣモジュール周辺を約１１．５ｍｍ×２５ｍｍ状に切り取った形状をしており、ＳＩＭ２の詳細な形状はＧＳＭ（Ｇlobal Ｓystem for Ｍobile communications）規格等で規格化されている。
【００１９】
図２（ａ）に示したように、ＩＣチップ２１がモールドされたＩＣモジュール２０がＳＩＭ２には実装され、実施の形態において、ＩＣチップ２１は接触通信インターフェースと、非接触通信インターフェースの２つの通信インターフェースを備えたデュアルインターフェースＩＣカード用のＩＣチップである。加えて、ＩＣモジュール２０には、リーダライタなどの外部装置とＩＣチップ２１とが電気的に接続し、外部装置と接触通信するために、ＩＳＯ７８１６規格に準拠した８個のカード端子２２（Ｃ１〜Ｃ８）が設けられている。
【００２０】
図２（ｂ）は、ＩＣモジュール２０でモールドされているＩＣチップ２１を説明する図である。図２（ｂ）に示したように、ＩＣチップ２１には、接触通信用の５個のＩ／Ｏ端子２１ａと、非接触通信用の２個のＩ／Ｏ端子２１ｂが備えられている。
【００２１】
接触通信用の５個のＩ／Ｏ端子２１ａは、ＩＳＯ７８１６規格に基づき、ＩＣモジュール２０のカード端子２２とワイヤーで接続され、非接触通信用の２個のＩ／Ｏ端子２１ｂの一つはＣ４のカード端子２２と、もう一つはＩ／Ｏ端子２１ｂの一つはＣ８のカード端子２２とワイヤーで接続されている。
【００２２】
よって、図２（ｃ）で示したように、アンテナコイル２３の端の一つをＣ４のカード端子２２に接続し、アンテナコイル２３の端のもう一つをＣ８のカード端子２２に接続することで、ＳＩＭ２は非接触通信が可能になる。
【００２３】
図３は、図１で示したＳＩＭホルダー１のブロック図である。図３においては、本発明の説明に必要な部品のみ図示している。実際は、液晶ディスプレイ１ｂを制御する液晶ディスプレイコントローラなどの多くの部品が、ＳＩＭホルダー１には実装される。
【００２４】
図３に示したように、ＳＩＭホルダー１に内蔵されるＳＩＭ２に最適なホルダーアンテナを選択・使用するために、ＳＩＭホルダー１には、それぞれ電気特性の異なるホルダーアンテナとしてＡアンテナ１０ａとＢアンテナ１０ｂと、使用するホルダーアンテナを切替えるアンテナ切替スイッチと、ＳＩＭホルダー１に装着されたＳＩＭ２のカード端子２２と電気的に接続する接続基板１２と、ＳＩＭ２と接触通信で通信する回路である接触通信回路１４が備えられている。
【００２５】
本実施の形態においては、ＳＩＭホルダー１が備えるホルダーアンテナを２つとしているのは、発明の内容を分かり易く説明するためである。本発明はＳＩＭホルダー１に内蔵されるホルダーアンテナの数を制約するものではなく、ＳＩＭホルダー１に内蔵されるホルダーアンテナの数は３つ以上でも実現できる。詳しくは、ＳＩＭホルダー１に内蔵できるホルダーアンテナの数は、ＳＩＭホルダー１の寸法と、ＳＩＭホルダー１０に内蔵されるホルダーアンテナの寸法とに制約される。
【００２６】
図３で示したＡアンテナ１０ａとＢアンテナ１０ｂとは、異なるＩＣチップ２１が実装される２つのＳＩＭ２のためにそれぞれ設計されたホルダーアンテナで、ホルダーアンテナ両端のキャパシタ容量などの電気特性が異なるアンテナコイルである。
【００２７】
例えば、Ａ社製のＩＣチップ２１に対するホルダーアンテナとして、Ａアンテナ１０ａは通信距離が最大になるように設計され、Ｂ社製のＩＣチップ２１に対するホルダーアンテナとして、Ｂアンテナ１０ｂは通信距離が最大になるように設計される。ホルダーアンテナの設計の一例としては、Ａ社製のＩＣチップ２１のキャパシタ容量が１２ｐＦであるときは、Ａアンテナ１０ａは、最大周が横54■×縦27■で、材質が厚さ0.6■のエッチン
グコイルで、ターン数が４ターン、ホルダーアンテナ両端のキャパシタ容量が３９ｐＦになるように設計される。また、Ｂ社製のＩＣチップ２１のキャパシタ容量が１７ｐＦであるときは、Ｂアンテナ１０ｂは、最大周が横54■×縦27■で、材質が厚さ0.6■のエッチ
ングコイルで、ターン数が５ターン、アンテナ間のキャパシタ容量が２２ｐＦになるように設計される。
【００２８】
図４は、ＳＩＭホルダー１に内蔵される２つのホルダーアンテナの配置図を説明するである。図４に示したように、ＳＩＭホルダー１には、Ａアンテナ１０ａとＢアンテナ１０ｂとは対向するように配置され、Ａアンテナ１０ａとＢアンテナ１０ｂ間には接続基板１２とＳＩＭ２が配置される。また、Ａアンテナ１０ａとＢアンテナ１０ｂの両端はアンテナ切替スイッチ１１に接続されている。
【００２９】
Ａアンテナ１０ａとＢアンテナ１０ｂとは対向するように配置するのは、ＳＩＭホルダー１のサイズ（本実施の形態では、横６０ｍｍ×縦３０ｍｍ×奥行き２０ｍｍ）と、ホルダーアンテナのサイズ（最大周が横５４ｍｍ×縦２７ｍｍ）がほぼ等しいからである。ＳＩＭホルダー１のサイズよりもホルダーアンテナのサイズを小さくできれば、複数のホルダーアンテナを横方向に並べては配置することも可能である。
【００３０】
また、図４において、Ａアンテナ１０ａとＢアンテナ１０ｂを重ねて配置していないのは、Ａアンテナ１０ａとＢアンテナ１０ｂとが相互に干渉し、それぞれのアンテナ特性が変化するのを防止するためである。例えば、何の対策も施さずに、Ａアンテナ１０ａとＢアンテナ１０ｂを重ねて配置すると、相互インダクタンスによってアンテナ特性は変化してしまう。Ａアンテナ１０ａとＢアンテナ１０ｂとの相互干渉を低減できれば、２つのアンテナは重ねて配置してもよい。
【００３１】
Ａアンテナ１０ａとＢアンテナ１０ｂの間に配置される接続基板１２は、ＳＩＭホルダー１が、ＳＩＭホルダー１に装着されるＳＩＭ２と接触通信するために設けられた基板で、装着されたＳＩＭ２のカード端子２２と電気的に接続する基板である。図３で示したように、接続基板１２には８個の接点端子１３（Ｔ１からＴ８）が設けられ、Ｔ１からＴ８までの接点端子１３は、ＳＩＭホルダー１に挿入され装着されたＳＩＭ２のＣ１からＣ８までのカード端子２２とそれぞれ電気的に接続する。
【００３２】
ＳＩＭ２のＩＣモジュール２０に備えられた８個のカード端子２２の中で、ＳＩＭ２の接触通信に使用されるカード端子２２（Ｃ１、Ｃ２、Ｃ３、Ｃ５およびＣ７の５個）と接続する接点端子１３（Ｔ１、Ｔ２、Ｔ３、Ｔ５およびＴ７の５個）は、接続通信回路１４に接続されている。また、２つのカード端子２２（Ｃ４とＣ８）と接続する接点端子１３（Ｔ４とＴ８）はアンテナ切替スイッチ１１に接続されている。
【００３３】
図３の接触通信回路１４は、接続基板１２を介して、ＩＳＯ／ＩＥＣ７８１６規格に記載されいる内容に従いＳＩＭ２の活性化を行う処理や、同規格に記載されている伝送プロトコルでＳＩＭ２と接触通信する処理を行う電子回路である。
【００３４】
図３のアンテナ切替スイッチ１１は、ＳＩＭホルダー１に備えられた複数のホルダーアンテナ（ここでは、Ａアンテナ１０ａとＢアンテナ１０ｂの２つ）から、ＳＩＭホルダー１に装着されるＳＩＭ２に応じて、ホルダーアンテナを自動的に切替えるスイッチである。
【００３５】
本実施の形態において、ＳＩＭ２に対応するホルダーアンテナを示す情報であるアンテナ情報２４は、ＳＩＭ２自体に記憶されている。アンテナ切替スイッチ１１は、ＳＩＭ２に接続するホルダーアンテナを、ＳＩＭ２から読み取ったアンテナ情報２４で示されるホルダーアンテナに切替える。
【００３６】
図５は、アンテナ切替スイッチ１１内部の配線状態を説明するである。図５に示したように、Ａアンテナ１０ａの両端と、Ｂアンテナ１０ｂの両端、および接続基板１２の接点端子１３（Ｔ４およびＴ８）はアンテナ切替スイッチ１１に接続されている。アンテナ切替スイッチ１１のスイッチ１２ａが切り替わると、接続基板１２の接点端子１３（Ｔ４およびＴ８）に接続されるホルダーアンテナの両端は、Ａアンテナ１０ａの両端とＢアンテナ１０ｂの両端のいずれかに切り替わる。
【００３７】
上述しているように、接続基板１２の２つの接点端子１３（Ｔ４およびＴ８）とは、ＳＩＭ２の２つのカード端子２２（Ｃ４およびＣ８）とそれぞれ電気的に接続しているので、アンテナ切替スイッチ１１内部のスイッチ１２ａが切り替わることは、ＳＩＭ２と接続するホルダーアンテナが切り替ることになる。
【００３８】
アンテナ切替スイッチ１１は、ＳＩＭホルダー１が接触通信回路１４を用いてＳＩＭ２から読み取ったアンテナ情報２４がＡアンテナ１０ａを示している場合は、スイッチ１２ａを操作して、接続基板１２の２つの接点端子１３（Ｔ４およびＴ８）と接続するホルダーアンテナをＡアンテナ１０ａにする。
【００３９】
また、アンテナ切替スイッチ１１は、ＳＩＭホルダー１が接触通信回路１４を用いてＳＩＭ２から読み取ったアンテナ情報２４がＢアンテナ１０ｂを示している場合は、スイッチ１２ａを操作して、接続基板１２の２つの接点端子１３（Ｔ４およびＴ８）と接続するホルダーアンテナをＢアンテナ１０ｂとする。
【００４０】
ここから、ＳＩＭホルダー１に装着されたＳＩＭ２に応じて、ＳＩＭホルダー１がホルダーアンテナを切替える動作について説明する。図６は、この動作の手順を示したフロー図である。
【００４１】
この動作の最初のステップＳ１０は、ＳＩＭホルダー１にＳＩＭ２が装着されるステップである。このステップでは、図１に示したように、ＳＩＭホルダー１のユーザが、ＳＩＭホルダー１の挿入口１ｇからＳＩＭ２を挿入することで、ＳＩＭホルダー１にＳＩＭ２は装着される。
【００４２】
次のステップＳ１１は、装着されたＳＩＭ２が活性化されるステップである。このステップでにおいては、ＳＩＭ２がＳＩＭホルダー１に装着されると、接触通信回路１４は、ＩＳＯ７８１６規格で定められた手順で、装着されたＳＩＭ２を活性化する。装着されたＳＩＭ２を活性化することで、ＳＩＭ２は接触通信できる状態になる。
【００４３】
次のステップＳ１２は、ＳＩＭ２からアンテナ情報２４を読み出すステップである。このステップでは、ＳＩＭホルダー１全体を制御するコントローラ（図示していない）またはアンテナ切替スイッチ１１が接触通信回路１４を利用して、ＳＩＭ２からアンテナ情報２４を読み出す。
【００４４】
次のステップＳ１３は、ＳＩＭ２から読み出したアンテナ情報２４で示されるホルダーアンテナに切替えるステップである。このステップでは、ＳＩＭホルダー１のアンテナ切替スイッチ１１は、ＳＩＭホルダー１が接触通信回路１４を用いてＳＩＭ２から読み取ったアンテナ情報２４がＡアンテナ１０ａを示している場合は、スイッチ１２ａを操作して、接続基板１２の２つの接点端子１３（Ｔ４およびＴ８）と接続するホルダーアンテナをＡアンテナ１０ａに選択し、ＳＩＭ２とＡアンテナ１０ａを電気的に接続する。
【００４５】
これまで説明したように、第１の実施の形態では、非接触通信で使用するホルダーアンテナを示すアンテナ情報２４は、ＳＩＭ２に格納されているため、ＳＩＭホルダー１に装着されたＳＩＭ２に応じて、間違いなくホルダーアンテナを切替えることができる。
【００４６】
（第２の実施の形態）
ここから、本発明係るＳＩＭホルダーの第２の実施の形態について、図を参照しながら詳細に説明する。第２の実施の形態は、非接触通信で使用するホルダーアンテナを示すアンテナ情報はＳＩＭホルダー自身に記憶され、ユーザが使用するアンテナ情報を設定し、ユーザが設定したアンテナ情報に従い、ＳＩＭホルダーが非接触通信で使用するホルダーアンテナを切替える形態である。
【００４７】
図７は、第２の実施の形態に係るＳＩＭホルダーのブロック図である。図７で示した第２の実施の形態に係るＳＩＭホルダー１００の外観においては、図１で示した第１の実施の形態に係るＳＩＭホルダー１と同様であるため、ＳＩＭホルダー１００の外観の説明は省く。
【００４８】
また、ＳＩＭホルダー１００に装着されるＳＩＭ２００についても、アンテナ情報２４をメモリに格納していない点を除けば、図２で説明したＳＩＭ２と同じであるため、ＳＩＭ２００についての説明も省く。
【００４９】
加えて、図７で示した第２の実施の形態に係るＳＩＭホルダー１００のブロック図と、図３で示した第１の実施の形態に係るＳＩＭホルダー１のブロック図の相違点は、ＳＩＭホルダー１００に装着されるＳＩＭ２００にはアンテナ情報が格納されていない点と、ＳＩＭホルダー１００にはユーザがアンテナ情報１２１を設定するアンテナ情報設定手段１２０が備えられ、アンテナ切替スイッチ１１１は、アンテナ情報設定手段１２０によって設定されたアンテナ情報１２１に基づいてアンテナを選択する点である。よって、これから、図７で示したアンテナ情報設定手段１２０についてのみ説明する。
【００５０】
第２の実施の形態のＳＩＭホルダー１００において特徴となるアンテナ情報設定手段１２０は、図１で示した液晶パネル１ｂ、操作ボタン１ｃに加え、ＳＩＭホルダー１００に内蔵される電子回路などによって実現される。アンテナ情報設定手段１２０は、アンテナ情報１２１として、Ａアンテナ１１０ａを示すＡアンテナ情報１２１ａと、Ｂアンテナ１１０ｂを示すＢアンテナ情報１２１ｂとを格納している。
【００５１】
アンテナ情報設定手段１２０は、アンテナ情報１２１の名称、もしくは、アンテナ情報１２１と結び付けられた情報（例えば、ＳＩＭの型番など）を液晶ディスプレイに表示し、ユーザは操作ボタンを操作して使用するアンテナ情報１２１を選択する。
【００５２】
アンテナ情報設定手段１２０で選択されたアンテナ情報１２１は、アンテナ切替スイッチ１１１に伝送され、アンテナ切替スイッチ１１１はアンテナ情報設定手段１２０から伝送されたアンテナ情報１２１に基づき、第１の実施の形態で、既に述べている内容でホルダーアンテナを切替える。
【００５３】
第２の実施の形態に係るＳＩＭホルダー１００においては、ＳＩＭホルダー１００に装着するＳＩＭ２００に応じてホルダーアンテナを切替えることができるばかりか、ユーザは、適したホルダーアンテナを選択してＳＩＭホルダー１００を利用することができる。
【００５４】
例えば、ＳＩＭホルダー１００に装着する予定の無かったＳＩＭ２００をＳＩＭホルダー１００に装着した場合は、ユーザは、Ａアンテナ１１０ａとＢアンテナ１１０ｂを切替えて使用し、非接触通信に適したいずれかのホルダーアンテナを選択してＳＩＭホルダー１００を利用することができる。
【図面の簡単な説明】
【００５５】
【図１】第１の実施の形態に係るＳＩＭホルダーの外観図。
【図２】ＳＩＭを説明する図。
【図３】第１の実施の形態に係るＳＩＭホルダーのブロック図。
【図４】ＳＩＭホルダーに内蔵される２つのホルダーアンテナの配置図。
【図５】アンテナ切替スイッチ内部の配線状態を説明する図。
【図６】ＳＩＭホルダーがアンテナを切替える動作の手順を示したフロー図。
【図７】第２の実施の形態に係るＳＩＭホルダーのブロック図。
【符号の説明】
【００５６】
１、１００  ＳＩＭホルダー
１０ａ、１１０ａ  Ａアンテナ
１０ｂ、１１０ｂ  Ｂアンテナ
１１、１１０  アンテナ切替スイッチ
１２  接続基板
１３  接点端子
１４  接触通信回路
２、２００  ＳＩＭ
２０  ＩＣモジュール
２１  ＩＣチップ
２２  カード端子
【図１】
2007018289.tif 000003
【図２】
2007018289.tif 000004
【図３】
2007018289.tif 000005
【図４】
2007018289.tif 000006
【図５】
2007018289.tif 000007
【図６】
2007018289.tif 000008
【図７】
2007018289.tif 000009